(57)【要約】【課題】圧縮機に接続するリード線が他の部品に接触する恐れがなく、リード線に余分な張力が働かない空気調和機の室外機を提供する。【解決手段】圧縮機２に固定されるターミナルカバー３を備え、ターミナルカバー３は、圧縮機２の上シェル４に設けられた端子部（図示せず）を覆おう端子収納部６と、上シェル４に設けられたスタットボルト（図示せず）を挿入してナット８で固定する穴部（図示せず）と、端子部に接続されたリード線１０の取り出し口１１と、リード線１０を保持すると共にスタットボルト近傍に配設されたリード線保持部１２から構成され、リード線保持部１２は、取り出し口１１から取り出したリード線１０を下部から上部へ案内するように穴形状に形成されたもので、リード線１０がリード線保持部１２である穴に通されて保持されるので、リード線１０がスタットボルトや他の部品に接触する恐れが無い。【選択図】図２
2010139083.tif 000002
【特許請求の範囲】
【請求項１】
圧縮機と、前記圧縮機に固定されるターミナルカバーを備え、前記ターミナルカバーは、前記圧縮機の上シェルに設けられた端子部を覆おう端子収納部と、前記上シェルに設けられたスタットボルトを挿入してナットで固定する穴部と、前記端子部に接続されたリード線の取り出し口と、前記リード線を保持すると共に前記スタットボルト近傍に配設されたリード線保持部から構成され、前記リード線保持部は、前記取り出し口から取り出したリード線を、下部から上部へ案内するように穴形状に形成されていることを特徴とする空気調和機の室外機。
【請求項２】
リード線保持部の１辺を、外側からリード線が挿入可能な係止爪としたことを特徴とする請求項１に記載の空気調和機の室外機。
【請求項３】
圧縮機の温度を感知するセンサーを固定する固定部をターミナルカバーと一体に成形したことを特徴とする請求項１または２に記載の空気調和機の室外機。
【発明の詳細な説明】
【技術分野】
【０００１】
本発明は、圧縮機の端子部を覆うターミナルカバーを備えた空気調和機の室外機に関するものである。
【背景技術】
【０００２】
従来、この種の空気調和機の室外機は、圧縮機と送風機を備え、圧縮機の上シェルに設けられた端子部にリード線が接続される。またリード線を接続した圧縮機の端子部には、水分や、埃等の侵入防止のため、ターミナルカバーが設けられている（例えば、特許文献１参照）。
【０００３】
図７は、上記特許文献１に記載された従来の空気調和機の室外機の前面板を除いた斜視図、図８は、同室外機に搭載された圧縮機の斜視図である。
【０００４】
図７、図８に示すように、従来の空気調和機の室外機２０は、圧縮機２１と、圧縮機２１のターミナルカバー２２を備え、前記ターミナルカバー２２は、圧縮機２１の上シェル２３に設けられた端子部２４を覆おう端子収納部２５と、前記上シェル２３に設けられたスタットボルト２６を挿入してナット２７で固定する穴部２８と、前記端子部２４に接続したリード線２９の取り出し口３０から構成されている。
【特許文献１】特開２００２−５０１９号公報
【発明の開示】
【発明が解決しようとする課題】
【０００５】
しかしながら上記従来の空気調和機の室外機の構成では、圧縮機２１の端子部２４に接続したリード線２９を、ターミナルカバー２２の取り出し口３０から取り出し、空気調和機の本体制御箱３１の制御板（図示せず）に接続するが、圧縮機２１は、運転時の振動を防止するため、ゴム等により固定されているので、輸送や運転時には、制御板とは異なる挙動をする。
【０００６】
その場合に、リード線２９に余分な張力が働くのを防止するため、リード線２９の長さにある程度の余裕を持たせる必要があるが、近年、室外機２０の小型化、高性能化に伴い、圧縮機２１の回りにも、配管や電気部品等の他の部品が密に配置されているため、リード線２９に余裕を持たせた場合、取り出し口３０と制御板の間でリード線２９が他の部品に接触して損傷する恐れがあった。
【０００７】
また、リード線２９が、他の部品と接触しないように固定を設ける場合、ターミナルカバー２２の上部は、組み立て時やサービス時のターミナルカバー２２の着脱スペースを設ける必要があるため、固定部分は、圧縮機２１の周囲となり、リード線２９の引き回しが複雑になる。また、輸送や運転時には、圧縮機２１は、固定部分とは異なる挙動をするので、リード線２９に余分な張力が働き、端子部２４の接触不良や、固定部分が破損する等の課題を有していた。
【０００８】
本発明は、上記従来の課題を解決するもので、安価な構成で、圧縮機に接続したリード線が他の部品に接触して損傷するのを防止し、リード線に余分な張力がかからず、端子部の接触不良の恐れがない空気調和機の室外機を提供することを目的とするものである。
【課題を解決するための手段】
【０００９】
前記従来の課題を解決するために、本発明の空気調和機の室外機は、圧縮機と、前記圧
縮機に固定されるターミナルカバーを備え、前記ターミナルカバーは、前記圧縮機の上シェルに設けられた端子部を覆おう端子収納部と、前記上シェルに設けられたスタットボルトを挿入してナットで固定する穴部と、前記端子部に接続されたリード線の取り出し口と、前記リード線を保持すると共に前記スタットボルト近傍に配設されたリード線保持部から構成され、前記リード線保持部は、前記取り出し口から取り出したリード線を、下部から上部へ案内するように穴形状に形成されているもので、端子部に接続したリード線をターミナルカバーの取り出し口から取り出し後、リード線保持部である穴に下部から上部へ通されて保持されるので、圧縮機のほぼ中央でリード線を下部から上部へ案内することが出来、リード線がスタットボルトや、圧縮機周辺の配管や電気部品等の他の部品に接触することを防ぐことができる。また、リード線保持部が、ターミナルカバーと一体成形されているため、圧縮機とリード線保持部は常に同じ挙動をするようになり、余分な張力がリード線に働かず、端子部の接触不良やリード線保持部の破損などの恐れがないものである。
【発明の効果】
【００１０】
本発明は、空気調和機の室外機は、安価な構成で、圧縮機に接続したリード線が他の部品に接触して損傷するのを防止し、リード線に余分な張力がかからず、端子部の接触不良の恐れがないものである。
【発明を実施するための最良の形態】
【００１１】
第１の発明は、圧縮機と、前記圧縮機に固定されるターミナルカバーを備え、前記ターミナルカバーは、前記圧縮機の上シェルに設けられた端子部を覆おう端子収納部と、前記上シェルに設けられたスタットボルトを挿入してナットで固定する穴部と、前記端子部に接続されたリード線の取り出し口と、前記リード線を保持すると共に前記スタットボルト近傍に配設されたリード線保持部から構成され、前記リード線保持部は、前記取り出し口から取り出したリード線を、下部から上部へ案内するように穴形状に形成されているもので、端子部に接続したリード線をターミナルカバーの取り出し口から取り出し後、リード線保持部である穴に下部から上部へ通されて保持されるので、圧縮機のほぼ中央でリード線を下部から上部へ案内することが出来、リード線がスタットボルトや、圧縮機周辺の配管や電気部品等の他の部品に接触することを防ぐことができる。また、リード線保持部が、ターミナルカバーと一体成形されているため、圧縮機とリード線保持部は常に同じ挙動をするようになり、余分な張力がリード線に働かず、端子部の接触不良やリード線保持部の破損などの恐れがないものである。
【００１２】
第２の発明は、特に、第１の発明のリード線保持部の１辺を、外側からリード線が挿入可能な係止爪としたもので、リード線の引き回し作業において、リード線を取り出し口から取り出し、さらに制御板に接続した後で、リード線をリード線保持部に挿入できるため、リード線引き回し作業性のすぐれた空気調和機の室外機を提供できる。
【００１３】
第３の発明は、特に、第１または第２の発明の圧縮機の温度を感知するセンサーを固定する固定部をターミナルカバーと一体に成形したもので、センサーのリード線をターミナルカバーのリード線保持部に、圧縮機のリード線と一緒に保持できるため、リード線引き回し作業性が向上できる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室外機の前面板を除いた斜視図で、図２は、同室外機の圧縮機にターミナルカバーを装着した要部斜視図、図３は、図
２の要部分解図を示す。
【００１６】
図１、図２及び図３において、室外機１は、圧縮機２と、圧縮機２のターミナルカバー３を備え、前記ターミナルカバー３は、圧縮機２の上シェル４に設けられた端子部５を覆おう端子収納部６と、前記上シェル４に設けられたスタットボルト７を挿入してナット８で固定する穴部９と、前記端子部５に接続したリード線１０の取り出し口１１と、前記リード線１０を下部から上部にかけて案内するように穴形状に形成されると共に、リード線１０を保持するリード線保持部１２から構成されている。
【００１７】
以上のように構成された空気調和機の室外機について、以下その動作、作用を説明する。実際の結線作業は、圧縮機２の上シェル４に設けられた端子部５にリード線１０を接続して行われる。次にリード線１０を、ターミナルカバー３のリード線保持部１２に通してから、ターミナルカバー３の穴部９をスタットボルト７に挿入してナット８で固定する。一方、リード線１０の他端の接続部（図示せず）は、端子（図示せず）やコネクター（図示せず）になっており、本体制御箱１３に内蔵された制御基板（図示せず）に接続される。
【００１８】
以上のように、本実施の形態においては、ターミナルカバー３に、リード線保持部１２を一体に設けると共に、そのリード線保持部１２を前記スタットボルト７近傍に配設し、更に、リード線保持部１２を、前記リード線１０の取り出し口１１から取り出したリード線１０を下部から上部へ案内するように穴形状に形成することにより、リード線１０が、他の部品に接触する恐れがなく、端子部５に余分な張力が掛からない空気調和機の室外機を提供することが出来る。
【００１９】
（実施の形態２）
図４は、本発明の実施の形態２における空気調和機の室外機のターミナルカバーの斜視図で、図５は、同室外機の圧縮機にターミナルカバーを装着した要部斜視図である。なお、上記実施の形態と同一部分については同一符号を付してその説明を省略する。
【００２０】
本実施の形態は、図４に示すように、リード線保持部１２の１辺を、リード線１０が外側から挿入できると共に、そのリード線１０を係止する係止爪１４としたもので、リード線１０の接続作業や、ターミナルカバー３の固定作業を終えた後に、リード線１０をターミナルカバー３のリード線保持部１２に通すことが容易に出来るため作業性が向上できる。
【００２１】
（実施の形態３）
図６は、本発明の実施の形態３における空気調和機の室外機のターミナルカバーの斜視図である。なお、上記実施の形態と同一部分については同一符号を付してその説明を省略する。
【００２２】
本実施の形態は、図６に示すように、圧縮機２の温度を感知するセンサー１７を固定する固定部１５を、ターミナルカバー３と一体に成形したもので、センサー１７のリード線１６も、圧縮機１へのリード線１０と一緒に処理することが出来るため、リード線１０及びセンサー１７のリード線１６の引き回し作業性が大幅に向上できる。
【産業上の利用可能性】
【００２３】
以上のように、本発明に係る空気調和機の室外機は、安価な構成で、リード線を確実に他の部品との接触から防ぐことが出来、余分な張力も掛からないので、安全性が高く、圧縮機を内蔵するヒートポンプ式給湯機のなどにも適用できる。
【図面の簡単な説明】
【００２４】
【図１】本発明の実施の形態１における空気調和機の室外機の前面板を除いた斜視図
【図２】同室外機の圧縮機にターミナルカバーを装着した要部斜視図
【図３】図２の要部分解図
【図４】本発明の実施の形態２における空気調和機の室外機のターミナルカバーの斜視図
【図５】同室外機の圧縮機にターミナルカバーを装着した要部斜視図
【図６】本発明の実施の形態３における空気調和機の室外機のターミナルカバーの斜視図
【図７】従来の空気調和機の室外機の前面板を除いた斜視図
【図８】同室外機に搭載された圧縮機の斜視図
【符号の説明】
【００２５】
１  室外機
２  圧縮機
３  ターミナルカバー
４  上シェル
５  端子部
６  端子収納部
７  スタットボルト
８  ナット
９  穴部
１０  リード線
１１  取り出し口
１２  リード線保持部
１４  係止爪
１５  固定部
【図１】
2010139083.tif 000003
【図２】
2010139083.tif 000004
【図３】
2010139083.tif 000005
【図４】
2010139083.tif 000006
【図５】
2010139083.tif 000007
【図６】
2010139083.tif 000008
【図７】
2010139083.tif 000009
【図８】
2010139083.tif 000010